(57)【要約】【課題】固定作業を容易に行うことができる固定装置を提供する。【解決手段】固定装置５は、固定面１に打ち込まれる固着具２と、固着具２を打ち出す打ち込み工具３と、固着具２によって固定面１に取付け固定される固定体４とを備える。固着具２は、固定面１に打ち込まれる突刺片２ａを有する一対の突刺部２ｂ、２ｂと、それら突刺部２ｂの打ち込まれる先端とは反対側を繋ぐ繋ぎ部２ｃとを備える。固定体４は、固定部４０２を備え、その固定部４０２は、固着具２が跨ぐ被跨ぎ部４ａと、一方の突刺部２ｂが挿通される挿通部４ｂとを有する。そこで、固定体４は、打ち込み工具３を固定部４０２に宛がった際に、打ち込み直前の固着具２が、被跨ぎ部４ａの直上で跨ぎ姿勢となるように、打ち込み工具３を案内する案内手段６を備える。【選択図】  図２
2018189208.tif 000002
【特許請求の範囲】
【請求項１】
固定面に打ち込まれる固着具と、複数の前記固着具を内部に収容しその固着具を前記固定面に打ち込むよう一つずつ打ち出す打ち込み工具と、前記固着具によって前記固定面に取付け固定される固定体とを備える、固定装置であって、
前記固着具は、前記固定面に打ち込まれる突刺片を有する一対の突刺部と、それら突刺部の打ち込まれる先端とは反対側を繋ぐ繋ぎ部とを備え、
前記固定体は、前記固定面に固定される固定部を備え、その固定部は、前記固着具が跨ぐ被跨ぎ部と、その被跨ぎ部に隣接し、前記一対の突刺部のうち一方の突刺部が挿通される挿通部とを有し、かつ、
前記固定体は、前記打ち込み工具を前記固定部に宛がった際に、打ち込み直前の前記固着具が、前記被跨ぎ部の直上で跨ぎ姿勢となるように、前記打ち込み工具を案内する案内手段を備える、固定装置。
【請求項２】
前記案内手段は、前記打ち込み工具に設けられた被係合部と係合する係合部からなる、請求項１に記載の固定装置。
【請求項３】
前記係合部は、前記被係合部を受け入れる凹み、穴などの空所を備える受入部からなる、請求項２に記載の固定装置。
【請求項４】
前記受入部は、前記挿通部からなり、
前記被係合部は、前記打ち込み工具の、前記固着具を打ち出す射出口に隣接し、その射出口よりも、前記固着具を打ち出す射出方向に突出する、請求項３に記載の固定装置。
【請求項５】
前記打ち込み工具は、先端が前記固定面に当接する一対の突出部を備え、
前記固定体は、前記一対の突出部間の凹部からなる切欠き凹部内に配置される切欠き凹部対応部を備え、
前記切欠き凹部が前記被係合部となり、前記切欠き凹部対応部が前記係合部となる、請求項２に記載の固定装置。
【請求項６】
前記切欠き凹部対応部は、前記被跨ぎ部であって、
前記一対の突出部は、前記固着具を打ち出す射出口に隣接し、その射出口よりも、前記固着具を打ち出す射出方向に突出する、請求項５に記載の固定装置。
【請求項７】
前記被係合部と前記係合部とは、それら被係合部と係合部との係合を保持して前記固定体を前記打ち込み工具に仮保持する仮保持手段を有する、請求項２ないし６のいずれか１項に記載の固定装置。
【請求項８】
前記固定面に打ち込まれる突刺片を有する一対の突刺部とそれら突刺部の打ち込まれる先端とは反対側を繋ぐ繋ぎ部とを備える固着具によって、前記固定面に取付け固定される固定体であって、
前記固定面に固定される固定部を備え、その固定部は、前記固着具が跨ぐ被跨ぎ部と、その被跨ぎ部に隣接し、前記一対の突刺部のうち一方の突刺部が挿通される挿通部とを有し、かつ、
複数の前記固着具を内部に収容しその固着具を前記固定面に打ち込むよう一つずつ打ち出す打ち込み工具を、前記固定部に宛がった際に、打ち込み直前の前記固着具が、前記被跨ぎ部の直上で跨ぎ姿勢となるように、前記打ち込み工具を案内する案内手段を備える、固定体。
【発明の詳細な説明】
【技術分野】
【０００１】
この発明は、打ち込み工具を用いた固定作業を容易に行うことができる、固定装置および固定体に関するものである。
【背景技術】
【０００２】
従来、例えば配線・配管材支持具を壁等の固定面に固定するにあたって、コ字状に形成された固着具が用いられた（例えば、特許文献１参照）。図１７に示すように、この配線・配管材支持具２２は、固定面２１に固定される固定部２３と、配線・配管材を支持する支持部２４とを備えていた。そして、固定部２３には、挿通孔２３ａが設けられていた。そこで、挿通孔２３ａに固着具２５を挿入し、その固着具２５を金槌を用いて固定面２１に打ち込むことで、配線・配管材支持具２２は、固定面２１に固定された。
【先行技術文献】
【特許文献】
【０００３】
【特許文献１】特開２０１４−５５６０５号公報
【発明の概要】
【発明が解決しようとする課題】
【０００４】
ところで、前記従来の配線・配管材支持具２２（固定体）にあっては、その配線・配管材支持具２２を固定面２１に固定するにあたって、挿通孔２３ａに挿入した固着具２５を金槌で叩くとき、金槌が配線・配管材支持具２２に当たらないように注意して作業する必要があった。
【０００５】
この発明は、上記した従来の欠点を解決するためになされたものであり、その目的とするところは、固定作業を容易に行うことができる、固定装置および固定体を提供することにある。
【課題を解決するための手段】
【０００６】
この発明に係る固定装置および固定体は、前記目的を達成するために、次の構成からなる。すなわち、
請求項１に記載の発明に係る固定装置は、固定面に打ち込まれる固着具と、複数の前記固着具を内部に収容しその固着具を前記固定面に打ち込むよう一つずつ打ち出す打ち込み工具と、前記固着具によって前記固定面に取付け固定される固定体とを備える。ここで、前記固着具は、前記固定面に打ち込まれる突刺片を有する一対の突刺部と、それら突刺部の打ち込まれる先端とは反対側を繋ぐ繋ぎ部とを備える。前記固定体は、前記固定面に固定される固定部を備え、その固定部は、前記固着具が跨ぐ被跨ぎ部と、その被跨ぎ部に隣接し、前記一対の突刺部のうち一方の突刺部が挿通される挿通部とを有する。さらに、前記固定体は、前記打ち込み工具を前記固定部に宛がった際に、打ち込み直前の前記固着具が、前記被跨ぎ部の直上で跨ぎ姿勢となるように、前記打ち込み工具を案内する案内手段を備える。
【０００７】
この固定装置によると、固定体は、固着具によって固定面に取付け固定されるが、その固着具は、内部に固着具を収容する打ち込み工具により、固定面に打ち込まれる。ここで、固定体の固定部は、固着具が跨ぐ被跨ぎ部と、固着具における一方の突刺部が挿通される挿通部とを有している。そして、固定体は、打ち込み工具を案内する案内手段を備えており、この案内手段により、打ち込み工具内で打ち込み直前の固着具が、被跨ぎ部の直上で跨ぎ姿勢となる。このため、この案内手段によって案内された打ち込み工具から固着具を打ち出すことで、固着具は、確実に被跨ぎ部を跨いで、固定面に打ち込まれる。
【０００８】
また、請求項２に記載の発明に係る固定装置は、請求項１に記載の固定装置において、前記案内手段は、前記打ち込み工具に設けられた被係合部と係合する係合部からなる。
【０００９】
また、請求項３に記載の発明に係る固定装置は、請求項２に記載の固定装置において、前記係合部は、前記被係合部を受け入れる凹み、穴などの空所を備える受入部からなる。
【００１０】
また、請求項４に記載の発明に係る固定装置は、請求項３に記載の固定装置において、前記受入部は、前記挿通部からなる。そして、前記被係合部は、前記打ち込み工具の、前記固着具を打ち出す射出口に隣接し、その射出口よりも、前記固着具を打ち出す射出方向に突出する。
【００１１】
また、請求項５に記載の発明に係る固定装置は、請求項２に記載の固定装置において、前記打ち込み工具は、先端が前記固定面に当接する一対の突出部を備える。一方、前記固定体は、前記一対の突出部間の凹部からなる切欠き凹部内に配置される切欠き凹部対応部を備える。そこで、前記切欠き凹部が前記被係合部となり、前記切欠き凹部対応部が前記係合部となる。
【００１２】
また、請求項６に記載の発明に係る固定装置は、請求項５に記載の固定装置において、前記切欠き凹部対応部は、前記被跨ぎ部である。そして、前記一対の突出部は、前記固着具を打ち出す射出口に隣接し、その射出口よりも、前記固着具を打ち出す射出方向に突出する。
【００１３】
また、請求項７に記載の発明に係る固定装置は、請求項２ないし６のいずれか１項に記載の固定装置において、前記被係合部と前記係合部とは、それら被係合部と係合部との係合を保持して前記固定体を前記打ち込み工具に仮保持する仮保持手段を有する。これにより、固定体を打ち込み工具に仮保持したまま、打ち込み工具を移動することで、固定体を固定面の所定の位置に位置させることができる。
【００１４】
また、請求項８に記載の発明に係る固定体は、前記固定面に打ち込まれる突刺片を有する一対の突刺部とそれら突刺部の打ち込まれる先端とは反対側を繋ぐ繋ぎ部とを備える固着具によって、前記固定面に取付け固定される固定体である。この固定体は、前記固定面に固定される固定部を備え、その固定部は、前記固着具が跨ぐ被跨ぎ部と、その被跨ぎ部に隣接し、前記一対の突刺部のうち一方の突刺部が挿通される挿通部とを有する。そして、固定体は、複数の前記固着具を内部に収容しその固着具を前記固定面に打ち込むよう一つずつ打ち出す打ち込み工具を、前記固定部に宛がった際に、打ち込み直前の前記固着具が、前記被跨ぎ部の直上で跨ぎ姿勢となるように、前記打ち込み工具を案内する案内手段を備える。
【００１５】
この固定体によると、固定体は、固着具によって固定面に取付け固定され、その固着具は、内部に固着具を収容する打ち込み工具により、固定面に打ち込まれる。ここで、固定体の固定部は、固着具が跨ぐ被跨ぎ部と、固着具における一方の突刺部が挿通される挿通部とを有している。そして、固定体は、打ち込み工具を案内する案内手段を備えており、この案内手段により、打ち込み工具内で打ち込み直前の固着具が、被跨ぎ部の直上で跨ぎ姿勢となる。このため、この案内手段によって案内された打ち込み工具から固着具を打ち出すことで、固着具は、確実に被跨ぎ部を跨いで、固定面に打ち込まれる。
【発明の効果】
【００１６】
この発明に係る固定装置および固定体によれば、案内手段によって打ち込み工具が案内されて、固着具が固定体の被跨ぎ部の直上で跨ぎ姿勢となり、固着具は、確実に被跨ぎ部を跨いで固定面に打ち込まれるため、固定体の固定作業を容易に行うことができる。
【図面の簡単な説明】
【００１７】
【図１】この発明の一実施の形態の、固定装置の斜視図である。
【図２】同じく、図１における、固定体を破断したＡ矢視図である。
【図３】同じく、打ち込み工具の斜視図である。
【図４】同じく、固着具集合体の斜視図である。
【図５】同じく、固着具集合体の側面図である。
【図６】同じく、固着具を示し、（ａ）は、斜視図、（ｂ）は、断面図である。
【図７】同じく、固定体を、その本体の正面側から見た斜視図である。
【図８】同じく、固定体を、その本体の底面側から見た斜視図である。
【図９】同じく、固定体の断面図である。
【図１０】同じく、固定体に対して固着具が打ち出された状態を示す断面図である。
【図１１】同じく、固着具の突刺片が固定面に打ち込まれた状態を示す断面図である。
【図１２】同じく、固定体の重合部を重合位置に回動した状態を示す断面図である。
【図１３】同じく、図１２におけるＢ−Ｂ線による断面図である。
【図１４】同じく、図１２における底面側からの斜視図である。
【図１５】同じく、固定体で配線・配管材を支持した状態を示す斜視図である。
【図１６】この発明の他の実施の形態の、固定体の斜視図である。
【図１７】従来の配線・配管材支持具を示す側面図である。
【発明を実施するための形態】
【００１８】
以下、この発明に係る固定装置および固定体を実施するための形態を図面に基づいて説明する。
【００１９】
図１〜図１５は、本発明の一実施の形態を示す。図中符号１は、固定面を示す。２は、固定面１に打ち込まれる固着具を示す。３は、打ち込み工具を示し、この打ち込み工具３は、複数の前記固着具２を内部に収容しその固着具２を固定面１に打ち込むよう一つずつ打ち出すものである。４は、固定体を示し、この固定体４は、前記固着具２によって固定面１に取付け固定される。５は、固定装置を示し、この固定装置５は、固着具２と打ち込み工具３と固定体４とを備える。
【００２０】
ここで、固着具２は、固定面１に打ち込まれる突刺片２ａを有する一対の突刺部２ｂ、２ｂと、それら突刺部２ｂ、２ｂの打ち込まれる先端とは反対側を繋ぐ繋ぎ部２ｃとを備える（図６参照）。固定体４は、固定面１に固定される固定部４０２を備える。そして、この固定部４０２は、固着具２が跨ぐ被跨ぎ部４ａと、その被跨ぎ部４ａに隣接し、固着具２の一対の突刺部２ｂ、２ｂのうち一方の突刺部２ｂが挿通される挿通部４ｂとを有する。また、固定体４は、打ち込み工具３を固定体４の固定部４０２に宛がった際に、打ち込み直前の固着具２が、被跨ぎ部４ａの直上で跨ぎ姿勢となるように、打ち込み工具３を案内する案内手段６を備える（図１、図２参照）。そして、この案内手段６は、打ち込み工具３に設けられた被係合部３ａと係合する係合部４ｃからなる。
【００２１】
図示実施の形態においては、前記案内手段６として、第１の案内手段６ａと第２の案内手段６ｂが設けられている。第１の案内手段６ａに対しては、打ち込み工具３は、前記被係合部３ａとしての第１の被係合部３ｂを備える。そこで、前記係合部４ｃとしての第１の係合部４ｄは、第１の被係合部３ｂを受け入れる凹み、穴などの空所を備える受入部４ｅからなる。詳細には、この受入部４ｅは、前記挿通部４ｂからなる。そして、第１の被係合部３ｂは、打ち込み工具３の、固着具２を打ち出す射出口３ｃに隣接し、その射出口３ｃよりも、固着具２を打ち出す射出方向７に突出している（図１、図３参照）。
【００２２】
第２の案内手段６ｂに対しては、打ち込み工具３は、先端が固定面１に当接する一対の突出部３ｄ、３ｄを備える。一方、固定体４は、その一対の突出部３ｄ、３ｄ間の凹部からなる切欠き凹部３ｅ内に配置される切欠き凹部対応部４ｆを備える。そこで、切欠き凹部３ｅが、前記被係合部３ａとしての第２の被係合部３ｆとなり、切欠き凹部対応部４ｆが、前記係合部４ｃとしての第２の係合部４ｇとなる。詳細には、切欠き凹部対応部４ｆは、前記被跨ぎ部４ａである。そして、打ち込み工具３における一対の突出部３ｄ、３ｄは、固着具２を打ち出す射出口３ｃに隣接し、その射出口３ｃよりも、固着具２を打ち出す射出方向７に突出している（図１、図３参照）。
【００２３】
被係合部３ａと係合部４ｃとは、それら被係合部３ａと係合部４ｃとの係合を保持して固定体４を打ち込み工具３に仮保持する仮保持手段を有する。図示実施の形態においては、被係合部３ａと係合部４ｃとの摩擦係合（圧入ぎみの嵌め合い）によって、固定体４が打ち込み工具３から落下しないように、その係合が保持される。
【００２４】
具体的には、固着具２は、図６に示すように、固着具本体２０１と補助材２０２とからなる。固着具本体２０１は、例えば金属製であって、一対の前記突刺片２ａ、２ａと、それら突刺片２ａ、２ａの先端とは反対の端を繋ぐ繋ぎ片２ｄとを有して、コ字状に形成されている。補助材２０２は、例えは合成樹脂製であって、一対の突刺片２ａ、２ａのそれぞれが差込まれる第１補助片２ｅ、２ｅと、それら第１補助片２ｅ、２ｅの、前記繋ぎ片２ｄ側の端を繋ぐ第２補助片２ｆとを有して、コ字状に形成されている。そこで、前記突刺部２ｂは、突刺片２ａと第１補助片２ｅとで構成され、前記繋ぎ部２ｃは、繋ぎ片２ｄと第２補助片２ｆとで構成される。ここで、第２補助片２ｆは、繋ぎ片２ｄよりも内側にあって、突刺片２ａ（つまり、固着具２）が固定面１に打ち込まれる前には、繋ぎ片２ｄから離れて位置し、突刺片２ａの先端部分は、第１補助片２ｅから突出することなく隠れている。そして、突刺片２ａ（つまり、固着具２）を固定面１に打ち込む際には、第１補助片２ｅは、固定面１に当たって止まり（図１０参照）、突刺片２ａは、繋ぎ片２ｄが第２補助片２ｆに当たるまで、第１補助片２ｅ内を通って固定面１に打ち込まれる（図１１参照）。こうして、補助材２０２は、突刺片２ａの打ち込み量を規制し固定面１と繋ぎ部２ｃとの間に空間を形成する打ち込み規制部となっている。そして、固着具２は、複数の固着具２、２が、その補助材２０２部分で、分断可能な連結部８ａによって連結された、固着具集合体８となって（図４、図５参照）、この固着具集合体８の状態で、打ち込み工具３内に収容される。
【００２５】
打ち込み工具３は、その底壁３ｇ側に、固着具２（詳しくは、固着具集合体８）を収容する弾装部３ｈが設けられてる（図３参照）。そして、弾装部３ｈにおける固着具２、２が並ぶ先頭部分に、前記射出口３ｃが設けられる。前記一対の突出部３ｄ、３ｄは、射出口３ｃの両端側に設けられる。詳細には、突出部３ｄは、射出口３ｃの前方に位置する前板部３ｉと、射出口３ｃの側方に位置する側板部３ｊとで、Ｌ字状に形成されている。そこで、前述したように、これら一対の突出部３ｄ、３ｄ間（詳しくは、前板部３ｉ、３ｉ間）の凹部からなる切欠き凹部３ｅが第２の被係合部３ｆとなる。そして、図示実施の形態においては、これら突出部３ｄ、３ｄのうちのいずれか一方が、前記第１の被係合部３ｂとなる。なお、図中符号３ｋは、操作ハンドル、３ｍは、指掛け部を示し、この指掛け部３ｍに指を掛け、指掛け部３ｍ側に操作ハンドル３ｋを押し込むことで、固着具２が打ち出される。
【００２６】
固定体４は、図示実施の形態においては、配線・配管材（配線材または配管材）１０を支持する、配線・配管材支持具である（図１５参照）。この固定体４は、例えば合成樹脂製であって、本体４０１と、前記固定部４０２と、重合部４０３とを備えている。本体４０１は、配線・配管材１０を支持する支持部４ｈを備え、その支持部４ｈは、配線・配管材１０を取り囲むように湾曲して形成されている。
【００２７】
固定部４０２は、前述したように、被跨ぎ部４ａと挿通部４ｂとを有する。被跨ぎ部４ａは、左右に延びて形成されている。そして、固定部４０２は、被跨ぎ部４ａとで矩形の枠を形成するように、コ字状のフレーム部４ｉを有する。すなわち、フレーム部４ｉは、被跨ぎ部４ａの左右の各端から延びる一対の第１フレーム形成部４ｊ、４ｊと、それら第１フレーム形成部４ｊ、４ｊの先端を繋ぐ第２フレーム形成部４ｋからなる。そして、被跨ぎ部４ａとフレーム部４ｉとで形成される枠の内側が前記挿通部４ｂとなる。
【００２８】
重合部４０３は、固定部４０２を固定面１とで挟むように固定部４０２に重なるものである。この重合部４０３は、固定部４０２に重なる重合位置（図１２〜図１５参照）とその重なりから開放された非重合位置（図７〜図１１参照）との間を移動可能となっている。この重合部４０３は、重合位置にあるとき固定部４０２の被跨ぎ部４ａを跨ぐように門型形状をして、その一方の脚部４ｍが固定部４０２の挿通部４ｂに挿入される。また、重合部４０３は、重合位置にあるとき固着具２の繋ぎ部２ｃ（図示実施の形態においては、繋ぎ部２ｃに加えて突刺部２ｂの一部（詳しくは、突刺片２ａの一部と第１補助片２ｅ））を収容する収容凹部４ｎを備えている（図８、図９、図１２、図１４参照）。
【００２９】
この重合部４０３は、重合位置にあるとき固定部４０２に設けられた被係止部４ｐに係合する係止部４ｑを有し、それら係止部４ｑと被係止部４ｐとの係合により、重合部４０３は、重合位置に維持される。図示実施の形態においては、被係止部４ｐとして、第１被係止部４ｒと第２被係止部４ｓとが設けられ、それら被係止部４ｒ、４ｓと対応するように、係止部４ｑとして、第１係止部４ｔと第２係止部４ｕとが設けられている。詳細には、前記第１フレーム形成部４ｊ（詳しくは、第１フレーム形成部４ｊに設けられた凹部４ｙ）が、第１被係止部４ｒとなり、前記被跨ぎ部４ａ（詳しくは、被跨ぎ部４ａに設けられた段部４ｚ）が、第２被係止部４ｓとなる。そして、第１係止部４ｔは、重合部４０３における一方の脚部４ｍの左右の側面に突設された第１の爪４ｖからなり、第２係止部４ｕは、重合部４０３における門型形状の内面（詳しくは、両脚部４ｍ、４ｍの対向する面）に突設された第２の爪４ｗからなる。
【００３０】
また、図示実施の形態においては、重合部４０３は、本体４０１に連接して形成されている。そして、重合部４０３は、本体４０１のある側とは反対側で、ヒンジ４ｘにより、固定部４０２に回動可能に連結されている。すなわち、重合部４０３は、回動することで（詳しくは、本体４０１と一体となって回動することで）、重合位置と非重合位置との間を移動可能となっている。なお、図中符号９ａ、９ｂ、９ｃは、釘が通る通孔であって、重合部４０３が非重合位置にあるときに、固定部４０２に設けられた通孔９ａを通して釘を固定面１に打ち込むことで、固定部４０２を固定面１に固定することもできる。そして、重合部４０３が重合位置にあるときに、重合部４０３に設けられた通孔９ｂあるいは通孔９ｃを通して釘を固定面１に打ち込むことで、重合部４０３と固定部４０２をまとめて固定面１に固定することもできる。
【００３１】
ところで、図示実施の形態においては、打ち込み工具３における第１の被係合部３ｂとしての突出部３ｄは、固定体４の固定部４０２における第１の係合部４ｄとしての挿通部４ｂに、被跨ぎ部４ａの延びる方向において、ぴったりと嵌まる。そして、打ち込み工具３から打ち出された固着具２は、被跨ぎ部４ａにおける、その延びる方向の端側を跨いで固定面１に打ち込まれる。そのため、重合部４０３を固定部４０２に重ねる際には、固定部４０２を被跨ぎ部４ａの延びる方向にずらすことで、固着具２が被跨ぎ部４ａの中央部分を跨ぐようにし（つまり、固着具２が固定部４０２の左右の中央に位置するようにし）、その後に、重合部４０３を固定部４０２に重ねる。もっとも、側板部３ｊの幅を狭くするとか、なくすとかする等により、第１の被係合部３ｂとしての突出部３ｄは、第１の係合部４ｄとしての挿通部４ｂに、被跨ぎ部４ａの延びる方向においてぴったりと嵌まらなくてもよい。この場合には、打ち込み工具３は、固定部４０２に対し、被跨ぎ部４ａの延びる方向の適宜位置に調整されて宛がわれる。このため、固着具２は、被跨ぎ部４ａにおける、その延びる方向の適宜位置を跨いで固定面１に打ち込まれる。そして、前記と同様に、重合部４０３を固定部４０２に重ねる際には、必要に応じて固定部４０２を被跨ぎ部４ａの延びる方向にずらすことで、固着具２が被跨ぎ部４ａの中央部分を跨ぐようにし、その後に、重合部４０３を固定部４０２に重ねる。
【００３２】
次に、以上の構成からなる固定装置５および固定体４の作用効果について説明する。固定体４は、固着具２によって固定面１に取付け固定されるが、その固着具２は、内部に固着具２（詳しくは、固着具集合体８）を収容する打ち込み工具３により、固定面１に打ち込まれる。ここで、固定体４の固定部４０２は、固着具２が跨ぐ被跨ぎ部４ａと、固着具２における一方の突刺部２ｂが挿通される挿通部４ｂとを有している。そして、固定体４は、打ち込み工具３を案内する案内手段６を備えており、この案内手段６により、打ち込み工具３内で打ち込み直前の固着具２が、被跨ぎ部４ａの直上で跨ぎ姿勢となる。このため、この案内手段６によって案内された打ち込み工具３から固着具２を打ち出すことで、固着具２は、確実に被跨ぎ部４ａを跨いで、固定面１に打ち込まれる。すなわち、案内手段６によって打ち込み工具３が案内されて、固着具２が固定体４の被跨ぎ部４ａの直上で跨ぎ姿勢となり、その固着具２は、確実に被跨ぎ部４ａを跨いで固定面１に打ち込まれるため、固定体４の、固定面１への固定作業を容易に行うことができる。
【００３３】
また、打ち込み工具３に設けられた被係合部３ａと、固定体４に設けられた係合部４ｃとは、固定体４を打ち込み工具３に仮保持する仮保持手段を有している。このため、固定体４を打ち込み工具３に仮保持したまま、打ち込み工具３を移動することで、固定体４を固定面１の所定の位置に位置させることができる。このため、固定体４を別途保持する必要がなく、固定体４の固定作業を一層容易に行うことができる。
【００３４】
なお、本発明は、上述した実施の形態に限定されるわけではなく、その他種々の変更が可能である。例えば、固定体４は、配線・配管材１０を支持する支持具でなくとも、その他の部材を支持する支持具であってもよく、また、支持具に限るものでもない。
【００３５】
また、固定体４において、重合部４０３は、固定部４０２に回動可能に連結されているが、連結することなく、固定部４０２とは別体となっていてもよい。
【００３６】
また、固定体４において、重合部４０３は、本体４０１に連接して形成されているが、図１６に示すように、重合部４０３が本体４０１に連接するのではなく、固定部４０２が本体４０１に連接してもよい。また、この図においても、重合部４０３は、固定部４０２にヒンジ４ｘによって回動可能に連結されているが、連結することなく、固定部４０２とは別体となっていてもよい。
【００３７】
また、案内手段６として、第１の案内手段６ａと第２の案内手段６ｂが設けられているが、これら案内手段６ａ、６ｂのうちいずれか一方はなくてもよい。また、被係合部３ａは、打ち込み工具３の射出口３ｃに隣接する位置に設けられているが、射出口３ｃに隣接することなく他の位置に設けられてもよく、その場合には、当然に、係合部４ｃは、被係合部３ａに対応してその位置が変更される。
【００３８】
また、固定体４を打ち込み工具３に仮保持する仮保持手段は、被係合部３ａと係合部４ｃとの摩擦係合によるものでなくても、例えば爪による係合であってもよい。また、この仮保持手段は、なくてもよい。
【００３９】
また、固着具２は、固着具本体２０１と補助材２０２とからなっているが、この補助材２０２はなくてもよい。
【００４０】
また、固着具集合体８は、複数の固着具２、２が、分断可能な連結部８ａによって連結されているが、この連結部８ａによって連結されることなく、それぞれの固着具２、２が分離された状態で、打ち込み工具３（詳しくは、弾装部３ｈ）に収容されてもよい。
【００４１】
また、本発明と関連する発明を次に示す。
【００４２】
固定面１に打ち込まれる固着具２と、前記固着具２が複数並んで収容される弾装部３ｈを有してその収容された固着具２、２を前記固定面１に打ち込むよう一つずつ打ち出す打ち込み工具３と、前記固着具２によって前記固定面１に取付け固定される固定体４とを備える、固定装置５であって、
【００４３】
前記固着具２は、前記固定面１に打ち込まれる突刺片２ａを有する一対の突刺部２ｂ、２ｂと、それら突刺部２ｂ、２ｂの打ち込まれる先端とは反対側を繋ぐ繋ぎ部２ｃとを備え、
【００４４】
前記弾装部３ｈは、前記固着具２を打ち出す射出方向７に前記突刺片２ａの先端が向くようにして、複数の固着具２、２の突刺部２ｂ、２ｂどうしおよび繋ぎ部２ｃ、２ｃどうしが隣接するように収容するものであって、
【００４５】
前記固定体４は、本体４０１と、前記固定面１に固定される固定部４０２と、その固定部４０２に重なることが可能な重合部４０３とを備え、
【００４６】
前記固定部４０２は、前記固着具２が跨ぐ被跨ぎ部４ａと、その被跨ぎ部４ａに隣接し、前記一対の突刺部２ｂ、２ｂのうち一方の突刺部２ｂが挿通される挿通部４ｂとを有し、
【００４７】
前記本体４０１と前記重合部４０３とは、一体となって、前記被跨ぎ部４ａを跨ぐ前記固着具２の跨ぎ方向と交差する方向を回動軸心となるようにして、前記固定部４０２に回動可能に連結されており、
【００４８】
前記本体４０１および前記重合部４０３の、前記固定部４０２から離れる方向への回動により、それら本体４０１および重合部４０３との干渉を避けて、前記打ち込み工具３を前記固定部４０２に宛がうことが可能であり、かつ、
【００４９】
前記固着具２が前記固定面１に打ち込まれて前記固定部４０２が固定された状態で、前記重合部４０３を前記固定部４０２に重ねるように前記本体４０１および前記重合部４０３を回動することで、前記重合部４０３に設けられた係止部４ｑと前記固定部４０２に設けられた被係止部４ｐとが係合して、前記固定部４０２に対して前記本体４０１および前記重合部４０３の位置が定められる、固定装置。
【符号の説明】
【００５０】
１  固定面
２  固着具
２ａ  突刺片
２ｂ  突刺部
２ｃ  繋ぎ部
３  打ち込み工具
３ａ  被係合部
３ｂ  第１の被係合部（被係合部）
３ｃ  射出口
３ｄ  突出部
３ｅ  切欠き凹部
３ｆ  第２の被係合部（被係合部）
４  固定体
４０２  固定部
４ａ  被跨ぎ部
４ｂ  挿通部
４ｃ  係合部
４ｄ  第１の係合部（係合部）
４ｅ  受入部
４ｆ  切欠き凹部対応部
４ｇ  第２の係合部（係合部）
５  固定装置
６  案内手段
６ａ  第１の案内手段（案内手段）
６ｂ  第２の案内手段（案内手段）
７  射出方向
【図１】
2018189208.tif 000003
【図２】
2018189208.tif 000004
【図３】
2018189208.tif 000005
【図４】
2018189208.tif 000006
【図５】
2018189208.tif 000007
【図６】
2018189208.tif 000008
【図７】
2018189208.tif 000009
【図８】
2018189208.tif 000010
【図９】
2018189208.tif 000011
【図１０】
2018189208.tif 000012
【図１１】
2018189208.tif 000013
【図１２】
2018189208.tif 000014
【図１３】
2018189208.tif 000015
【図１４】
2018189208.tif 000016
【図１５】
2018189208.tif 000017
【図１６】
2018189208.tif 000018
【図１７】
2018189208.tif 000019